(57)【要約】【課題】周波数利用効率を向上させるためのフィルタを、より好適な態様で適用可能とする。【解決手段】無線通信を行う通信部と、前記無線通信に利用する周波数帯域のうち、ガードバンドの幅を制限するためのフィルタのフィルタ長に関する制御情報が、前記無線通信を介して外部装置に送信されるように制御する制御部と、を備え、前記フィルタ長は、前記無線通信のための周波数リソース及び時間リソースのうち少なくともいずれかに応じて決定される、装置。【選択図】図２
2017130511.tif 000002
【特許請求の範囲】
【請求項１】
無線通信を行う通信部と、
前記無線通信に利用する周波数帯域のうち、ガードバンドの幅を制限するためのフィルタのフィルタ長に関する制御情報が、前記無線通信を介して外部装置に送信されるように制御する制御部と、
を備え、
前記フィルタ長は、前記無線通信のための周波数リソース及び時間リソースのうち少なくともいずれかに応じて決定される、装置。
【請求項２】
前記フィルタ長は、前記フィルタが適用された送信データの時間方向のデータ長と、当該フィルタが適用されない場合において、ガードインターバルが付加された送信データの時間方向のデータ長とが略等しくなるように決定される、請求項１に記載の装置。
【請求項３】
前記フィルタ長は、前記フィルタが適用され、かつガードインターバルが付加された送信データの時間方向のデータ長と、当該フィルタが適用されない場合において、ガードインターバルが付加された送信データの時間方向のデータ長とが略等しくなるように決定される、請求項１に記載の装置。
【請求項４】
前記制御情報を記憶する記憶部を備え、
前記制御部は、前記記憶部に記憶された前記制御情報が、前記無線通信を介して外部装置に送信されるように制御する、請求項１に記載の装置。
【請求項５】
前記制御部は、所定の条件に基づき前記フィルタ長を切り替える、請求項１に記載の装置。
【請求項６】
前記制御部は、前記所定の条件に基づき、切り替え後の前記フィルタ長を、あらかじめ設定された複数の候補の中から決定する、請求項５に記載の装置。
【請求項７】
前記制御部は、前記外部装置から前記フィルタ長の切り替えに関する要求を受けた後に、前記フィルタ長を切り替える、請求項５に記載の装置。
【請求項８】
前記制御部は、所定のタイミング、及び再送のタイミングのうち少なくともいずれかのタイミングに応じて、前記フィルタ長を切り替える、請求項５に記載の装置。
【請求項９】
無線通信を行う通信部と、
前記無線通信に利用する周波数帯域のうち、ガードバンドの幅を制限するためのフィルタが適用されない場合におけるガードインターバルの長さに応じた、当該フィルタのフィルタ長に関する制御情報が、前記無線通信を介して外部装置に送信されるように制御する制御部と、
を備える、装置。
【請求項１０】
前記フィルタ長は、前記フィルタが適用された送信データの時間方向のデータ長と、当該フィルタが適用されない場合において、ガードインターバルが付加された送信データの時間方向のデータ長とが略等しくなるように決定される、請求項９に記載の装置。
【請求項１１】
前記フィルタ長は、前記フィルタが適用され、かつガードインターバルが付加された送信データの時間方向のデータ長と、当該フィルタが適用されない場合において、ガードインターバルが付加された送信データの時間方向のデータ長とが略等しくなるように決定される、請求項９に記載の装置。
【請求項１２】
前記制御情報を記憶する記憶部を備え、
前記制御部は、前記記憶部に記憶された前記制御情報が、前記無線通信を介して外部装置に送信されるように制御する、請求項９に記載の装置。
【請求項１３】
前記制御部は、所定の条件に基づき前記フィルタ長を切り替える、請求項９に記載の装置。
【請求項１４】
前記制御部は、前記所定の条件に基づき、切り替え後の前記フィルタ長を、あらかじめ設定された複数の候補の中から決定する、請求項１３に記載の装置。
【請求項１５】
前記制御部は、前記外部装置から前記フィルタ長の切り替えに関する要求を受けた後に、前記フィルタ長を切り替える、請求項１３に記載の装置。
【請求項１６】
前記制御部は、所定のタイミング、及び再送のタイミングのうち少なくともいずれかのタイミングに応じて、前記フィルタ長を切り替える、請求項１３に記載の装置。
【請求項１７】
無線通信を行う通信部と、
前記無線通信に利用する周波数帯域のうち、ガードバンドの幅を制限するためのフィルタのフィルタ長に関する制御情報を、前記無線通信を介して外部装置から取得する取得部と、
を備え、
前記フィルタ長は、前記無線通信のための周波数リソース及び時間リソースのうち少なくともいずれかに応じて決定される、装置。
【請求項１８】
所定の条件に応じて、前記フィルタ長の切り替えに関する要求が、前記無線通信を介して前記外部装置に送信されるように制御する制御部を備える、請求項１７に記載の装置。
【請求項１９】
前記制御部は、前記無線通信の品質に応じて、前記要求が、前記無線通信を介して前記外部装置に送信されるように制御する、請求項１８に記載の装置。
【請求項２０】
前記制御部は、前記無線通信を介して前記外部装置から受信したデータの復号結果に応じて、前記要求が、前記無線通信を介して前記外部装置に送信されるように制御する、請求項１８に記載の装置。
【請求項２１】
無線通信を行う通信部と、
前記無線通信に利用する周波数帯域のうち、ガードバンドの幅を制限するためのフィルタを、当該フィルタのフィルタ長に関する制御情報に基づき送信データに適用し、当該フィルタが適用された前記送信データが、前記無線通信を介して外部装置に送信されるように制御する制御部と、
を備え、
前記フィルタ長は、前記無線通信のための周波数リソース及び時間リソースのうち少なくともいずれかに応じて決定される、装置。
【請求項２２】
無線通信を行うことと、
プロセッサが、前記無線通信に利用する周波数帯域のうち、ガードバンドの幅を制限するためのフィルタのフィルタ長に関する制御情報が、前記無線通信を介して外部装置に送信されるように制御することと、
を含み、
前記フィルタ長は、前記無線通信のための周波数リソース及び時間リソースのうち少なくともいずれかに応じて決定される、方法。
【請求項２３】
無線通信を行うことと、
プロセッサが、前記無線通信に利用する周波数帯域のうち、ガードバンドの幅を制限するためのフィルタが適用されない場合におけるガードインターバルの長さに応じた、当該フィルタのフィルタ長に関する制御情報が、前記無線通信を介して外部装置に送信されるように制御することと、
を含む、方法。
【請求項２４】
無線通信を行うことと、
プロセッサが、前記無線通信に利用する周波数帯域のうち、ガードバンドの幅を制限するためのフィルタのフィルタ長に関する制御情報を、前記無線通信を介して外部装置から取得することと、
を含み、
前記フィルタ長は、前記無線通信のための周波数リソース及び時間リソースのうち少なくともいずれかに応じて決定される、方法。
【請求項２５】
無線通信を行うことと、
プロセッサが、前記無線通信に利用する周波数帯域のうち、ガードバンドの幅を制限するためのフィルタを、当該フィルタのフィルタ長に関する制御情報に基づき送信データに適用し、当該フィルタが適用された前記送信データが、前記無線通信を介して外部装置に送信されるように制御することと、
を含み、
前記フィルタ長は、前記無線通信のための周波数リソース及び時間リソースのうち少なくともいずれかに応じて決定される、方法。
【発明の詳細な説明】
【技術分野】
【０００１】
本開示は、装置及び方法に関する。
【背景技術】
【０００２】
ＬＴＥ（Long  Term  Evolution）／ＬＴＥ−Ａ（Advanced）において採用されているＯＦＤＭＡ（Orthogonal  Frequency-Division  Multiple  Access）及びＳＣ−ＦＤＭＡ（Single-Carrier  Frequency-Division  Multiple  Access）では、無線リソース（例えば、リソースブロック）は、重複なくユーザに割り当てられる。ＯＦＤＭＡやＳＣ−ＦＤＭＡが採用されている無線通信システムにおいては、データ伝送に使用されない帯域（ＯＯＢ：Out  Of  Band）のうち、一部の周波数帯域を、隣接システムに漏洩する電力を軽減するためのガードバンドとして利用している場合がある。【０００３】
また、近年では、ＬＴＥ／ＬＴＥ−Ａに続く第５世代（５Ｇ）移動体通信システムの無線アクセス技術（Radio  Access  Technology：ＲＡＴ）のうち、周波数利用効率の向上が期待できる技術の１つとして、New  Waveform技術が注目されている。New  Waveform技術は、送信信号波形にフィルタを適用することで、漏洩電力をカットし、周波数利用効率を向上させる技術である。New  Waveform技術を適用することで、ＯＯＢの信号を減衰させ、ガードバンドとして使用される周波数帯域幅をより制限し、ひいては、周波数利用効率を向上させることが期待されている。【０００４】
また、ＯＦＤＭＡやＳＣ−ＦＤＭＡ等に基づく無線通信においては、送信信号に対して、遅延波によるシンボル間干渉を除去するためにガードインターバルが付加される場合がある。例えば、特許文献１には、送信信号に対してガードインターバルを付加する場合の一例について開示されている。
【先行技術文献】
【特許文献】
【０００５】
【特許文献１】特開２００６−１８０３２１号公報
【発明の概要】
【発明が解決しようとする課題】
【０００６】
一方で、New  Waveform技術をサポートする場合においては、フィルタの適用が、送信信号のシンボル長やスループットに影響を与える可能性がある。そのため、より好適な態様でフィルタを適用すること可能な仕組みが望まれている。【０００７】
そこで、本開示では、周波数利用効率を向上させるためのフィルタを、より好適な態様で適用することが可能な、装置及び方法について提案する。
【課題を解決するための手段】
【０００８】
本開示によれば、無線通信を行う通信部と、前記無線通信に利用する周波数帯域のうち、ガードバンドの幅を制限するためのフィルタのフィルタ長に関する制御情報が、前記無線通信を介して外部装置に送信されるように制御する制御部と、を備え、前記フィルタ長は、前記無線通信のための周波数リソース及び時間リソースのうち少なくともいずれかに応じて決定される、装置が提供される。【０００９】
また、本開示によれば、無線通信を行う通信部と、前記無線通信に利用する周波数帯域のうち、ガードバンドの幅を制限するためのフィルタが適用されない場合におけるガードインターバルの長さに応じた、当該フィルタのフィルタ長に関する制御情報が、前記無線通信を介して外部装置に送信されるように制御する制御部と、を備える、装置が提供される。【００１０】
また、本開示によれば、無線通信を行う通信部と、前記無線通信に利用する周波数帯域のうち、ガードバンドの幅を制限するためのフィルタのフィルタ長に関する制御情報を、前記無線通信を介して外部装置から取得する取得部と、を備え、前記フィルタ長は、前記無線通信のための周波数リソース及び時間リソースのうち少なくともいずれかに応じて決定される、装置が提供される。【００１１】
また、本開示によれば、無線通信を行う通信部と、前記無線通信に利用する周波数帯域のうち、ガードバンドの幅を制限するためのフィルタを、当該フィルタのフィルタ長に関する制御情報に基づき送信データに適用し、当該フィルタが適用された前記送信データが、前記無線通信を介して外部装置に送信されるように制御する制御部と、を備え、前記フィルタ長は、前記無線通信のための周波数リソース及び時間リソースのうち少なくともいずれかに応じて決定される、装置が提供される。【００１２】
また、本開示によれば、無線通信を行うことと、プロセッサが、前記無線通信に利用する周波数帯域のうち、ガードバンドの幅を制限するためのフィルタのフィルタ長に関する制御情報が、前記無線通信を介して外部装置に送信されるように制御することと、を含み、前記フィルタ長は、前記無線通信のための周波数リソース及び時間リソースのうち少なくともいずれかに応じて決定される、方法が提供される。【００１３】
また、本開示によれば、無線通信を行うことと、プロセッサが、前記無線通信に利用する周波数帯域のうち、ガードバンドの幅を制限するためのフィルタが適用されない場合におけるガードインターバルの長さに応じた、当該フィルタのフィルタ長に関する制御情報が、前記無線通信を介して外部装置に送信されるように制御することと、を含む、方法が提供される。【００１４】
また、本開示によれば、無線通信を行うことと、プロセッサが、前記無線通信に利用する周波数帯域のうち、ガードバンドの幅を制限するためのフィルタのフィルタ長に関する制御情報を、前記無線通信を介して外部装置から取得することと、を含み、前記フィルタ長は、前記無線通信のための周波数リソース及び時間リソースのうち少なくともいずれかに応じて決定される、方法が提供される。【００１５】
また、本開示によれば、無線通信を行うことと、プロセッサが、前記無線通信に利用する周波数帯域のうち、ガードバンドの幅を制限するためのフィルタを、当該フィルタのフィルタ長に関する制御情報に基づき送信データに適用し、当該フィルタが適用された前記送信データが、前記無線通信を介して外部装置に送信されるように制御することと、を含み、前記フィルタ長は、前記無線通信のための周波数リソース及び時間リソースのうち少なくともいずれかに応じて決定される、方法が提供される。
【発明の効果】
【００１６】
以上説明したように本開示によれば、周波数利用効率を向上させるためのフィルタを、より好適な態様で適用することが可能な、装置及び方法が提供される。【００１７】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１８】
【図１】New  Waveform技術の概要について説明するための説明図である。
【図２】New  Waveform技術の概要について説明するための説明図である。
【図３】本開示の一実施形態に係るシステムの概略的な構成の一例について説明するための説明図である。
【図４】同実施形態に係る基地局の構成の一例を示すブロック図である。
【図５】同実施形態に係る端末装置の構成の一例を示すブロック図である。
【図６】New  Waveform技術をサポートする送信装置における処理の一例を説明するための説明図である。
【図７】New  Waveform技術をサポートする送信装置における処理の一例を説明するための説明図である。
【図８Ａ】New  Waveform技術をサポートする送信装置における処理の一例を説明するための説明図である。
【図８Ｂ】New  Waveform技術をサポートする送信装置における処理の一例を説明するための説明図である。
【図９】New  Waveform技術をサポートする受信装置における処理の一例について説明するための説明図である。
【図１０】リソースブロックの構成の一例について説明するための説明図である。
【図１１】リソースブロックの構成の一例について説明するための説明図である。
【図１２】リソースブロックの構成の一例について説明するための説明図である。
【図１３】フィルタが適用されていない場合におけるサブキャリアの構成の一例を示した図である。
【図１４】フィルタを適用する場合のサブキャリアの構成の一例を示した図である。
【図１５】フィルタを適用し、かつ、ガードインターバルを付加する場合のサブキャリアの構成の一例を示した図である。
【図１６】フィルタを適用し、かつ、ガードインターバルを付加する場合のサブキャリアの構成の他の一例を示した図である。
【図１７】フィルタの適用設定及びガードインターバル区間長の決定に係る一連の処理の流れの一例について示したフローチャートである。
【図１８】フィルタの適用設定及びガードインターバル区間長の切り替えに係る一連の処理の流れの一例について示したフローチャートである。
【図１９】ｅＮＢの概略的な構成の第１の例を示すブロック図である。
【図２０】ｅＮＢの概略的な構成の第２の例を示すブロック図である。
【図２１】スマートフォンの概略的な構成の一例を示すブロック図である。
【図２２】カーナビゲーション装置の概略的な構成の一例を示すブロック図である。
【発明を実施するための形態】
【００１９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２０】
なお、説明は以下の順序で行うものとする。
１．はじめに
１．１．New  Waveform技術
１．２．技術的課題
２．構成例
２．１．システムの構成例
２．２．基地局の構成例
２．３．端末装置の構成例
３．技術的特徴
４．応用例
４．１．基地局に関する応用例
４．２．端末装置に関する応用例
５．むすび
【００２１】
＜＜１．はじめに＞＞
＜１．１．New  Waveform技術＞
まず、図１及び図２を参照して、New  Waveform技術の概要について説明する。図１及び図２は、New  Waveform技術の概要について説明するための説明図である。
【００２２】
ＬＴＥやＬＴＥ−Ａにおいて採用されているＯＦＤＭＡ（Orthogonal  Frequency-Division  Multiple  Access）及びＳＣ−ＦＤＭＡ（Single-Carrier  Frequency-Division  Multiple  Access）では、無線リソース（例えば、リソースブロック）は、重複なくユーザに割り当てられる。例えば、図１は、ＯＦＤＭＡが適用された場合の送信信号の周波数領域電力スペクトルの一例を示している。図１において、横軸は、サブキャリア内における周波数帯域を示しており、縦軸は、送信電力のパワーを示している。
【００２３】
図１に示す送信信号の波形のうち、参照符号Ｗ１１で示された周波数帯域は、データ伝送に使用される周波数帯域を示しており（ただし、NULL  Subcarrierは除く）、それ以外の周波数帯域は、データ伝送に使用されないＯＯＢ（Out  Of  Band）である。また、ＯＯＢのうち、少なくとも一部の周波数帯域が、隣接システムに漏洩する電力を軽減するためのガードバンドとして設けられている場合がある。例えば、ガードバンドを設けない場合においては、ＯＯＢのうち最も電力の大きいサブキャリアで、およそ−１０ｄＢの電力となる場合においても、ガードバンドを設けることにより、およそ−２０ｄＢ〜−３０ｄＢまで電力を減衰させることが可能となる。
【００２４】
このような仕組みを利用することで、ＬＴＥ／ＬＴＥ−Ａにおいては、データ伝送に使用する周波数帯の両側にガードバンドを設けることで、隣接システムへの漏洩電力による干渉を軽減している。
【００２５】
一方で、ガードバンドは、周波数帯域の一部を未使用帯域として使用する（即ち、データ伝送に利用されない）ため、周波数利用効率の低下を招く場合がある。具体的な一例として、チャネル幅が２０ＭＨｚの場合には、ガードバンドとしておよそ２ＭＨｚ（片側１ＭＨｚ）が割り当てられており、この場合には、周波数利用効率が、約１０％低下することとなる。
【００２６】
そこで、ＬＴＥ／ＬＴＥ−Ａに続く第５世代（５Ｇ）移動体通信システムの無線アクセス技術（Radio  Access  Technology：ＲＡＴ）のうち、周波数利用効率の向上が期待できる技術の１つとして、New  Waveform技術が注目されている。New  Waveform技術は、送信信号波形にフィルタを適用することで、漏洩電力をカットし、周波数利用効率を向上させる技術である。例えば、図２は、図１に示した送信信号に対して、ドルフチェビシェフフィルタ（Dolph  Shebychev  Filter）を適用した場合における、当該送信信号の周波数領域電力スペクトルの一例を示している。なお、図２における横軸及び縦軸は、図１に示す例と同様である。また、図２においては、参考として、フィルタ適用前の送信信号の波形（即ち、図１に示す波形）をあわせて提示している。
【００２７】
図２においてフィルタ適用後の送信信号の波形として示すように、フィルタの適用により、ＯＯＢにおける電力がより小さくなっていることがわかる。このように、New  Waveform技術を適用する（即ち、送信信号に対してフィルタを適用する）ことで、ＯＯＢの信号を減衰させ、ガードバンドとして使用される周波数帯域幅をより制限し、ひいては、周波数利用効率を向上させることが期待されている。
【００２８】
なお、ガードバンドとして使用される周波数帯域幅をより制限することが可能であれば、送信信号に適用されるフィルタの種別は、必ずしも図２に示すようなドルフチェビシェフフィルタのみには限定されない。具体的な一例として、ルートレイズドコサインフィルタのような所謂ナイキストフィルタが、New  Waveform技術を実現するためのフィルタとして適用される場合もある。また、送信信号に適用されるフィルタは、必ずしも単一のフィルタに限定されず、複数のフィルタの中から適用されるフィルタが適応的に選択されてもよい。例えば、状況に応じて、前述したドルフチェビシェフフィルタやルートレイズドコサインフィルタが選択的に適用されてもよい。なお、以降の説明においては、単に「フィルタ」と表記した場合には、特に説明が無い限りは、上述したフィルタのように、ガードバンドとして使用される周波数帯域幅をより制限するためのフィルタを示すものとする。
【００２９】
以上、図１及び図２を参照して、New  Waveform技術の概要について説明した。
【００３０】
＜１．２．技術的課題＞
次に、本開示の実施形態に係る技術的課題について説明する。
【００３１】
上述したように、New  Waveform技術は、送信信号に対してフィルタ（例えば、ドルフチェビシェフフィルタ）を適用することで、ＯＯＢへの漏洩電力をより少なくすることを可能とする。一方で、当該フィルタを適用する場合には、当該フィルタのフィルタ長だけ送信信号のシンボル長が増加することとなり、ひいては、スループットに影響を与える可能性もある。また、送信信号に対して、ガードインターバル（ＧＩ）を付加する場合も想定され、当該ガードインターバルの付加も、送信信号のシンボル長が増加する要因となり得る。そのため、当該フィルタの適用に関する各種設定（例えば、フィルタ長等、以降では、単に「フィルタの適用設定」とも称する）や、当該フィルタ適用時にガードインターバルを付加するか否か、及び当該ガードインターバルの長さ（以降では、「ガードインターバル区間長」とも称する）をどのように決定するかは、New  Waveform技術をサポートするうえで重要な検討課題となる。
【００３２】
そこで、本開示では、周波数利用効率を向上させるためのフィルタを、より好適な態様で適用可能とするための仕組みの一例として、フィルタの適用設定、ガードインターバルの適用の有無、及び、ガードインターバル区間長の決定方法に着目して説明する。
【００３３】
＜＜２．構成例＞＞
＜２．１．システムの構成例＞
まず、図３を参照して、本開示の一実施形態に係るシステム１の概略的な構成の一例について説明する。図３は、本開示の一実施形態に係るシステム１の概略的な構成の一例について説明するための説明図である。図３に示すように、システム１は、無線通信装置１００と、端末装置２００とを含む。ここでは、端末装置２００は、ユーザとも呼ばれる。当該ユーザは、ＵＥとも呼ばれ得る。無線通信装置１００Ｃは、ＵＥ−Ｒｅｌａｙとも呼ばれる。ここでのＵＥは、ＬＴＥ又はＬＴＥ−Ａにおいて定義されているＵＥであってもよく、ＵＥ−Ｒｅｌａｙは、３ＧＰＰで議論されているＰｒｏｓｅ  ＵＥ  ｔｏ  Ｎｅｔｗｏｒｋ  Ｒｅｌａｙであってもよく、より一般的に通信機器を意味してもよい。
【００３４】
（１）無線通信装置１００
無線通信装置１００は、配下の装置に無線通信サービスを提供する装置である。例えば、無線通信装置１００Ａは、セルラーシステム（又は移動体通信システム）の基地局である。基地局１００Ａは、基地局１００Ａのセル１０Ａの内部に位置する装置（例えば、端末装置２００Ａ）との無線通信を行う。例えば、基地局１００Ａは、端末装置２００Ａへのダウンリンク信号を送信し、端末装置２００Ａからのアップリンク信号を受信する。
【００３５】
基地局１００Ａは、他の基地局と例えばＸ２インタフェースにより論理的に接続されており、制御情報等の送受信が可能である。また、基地局１００Ａは、所謂コアネットワーク（図示を省略する）と例えばＳ１インタフェースにより論理的に接続されており、制御情報等の送受信が可能である。なお、これらの装置間の通信は、物理的には多様な装置により中継され得る。
【００３６】
ここで、図３に示した無線通信装置１００Ａは、マクロセル基地局であり、セル１０Ａはマクロセルである。一方で、無線通信装置１００Ｂ及び１００Ｃは、スモールセル１０Ｂ及び１０Ｃをそれぞれ運用するマスタデバイスである。一例として、マスタデバイス１００Ｂは、固定的に設置されるスモールセル基地局である。スモールセル基地局１００Ｂは、マクロセル基地局１００Ａとの間で無線バックホールリンクを、スモールセル１０Ｂ内の１つ以上の端末装置（例えば、端末装置２００Ｂ）との間でアクセスリンクをそれぞれ確立する。なお、無線通信装置１００Ｂは、３ＧＰＰで定義されるリレーノードであってもよい。マスタデバイス１００Ｃは、ダイナミックＡＰ（アクセスポイント）である。ダイナミックＡＰ１００Ｃは、スモールセル１０Ｃを動的に運用する移動デバイスである。ダイナミックＡＰ１００Ｃは、マクロセル基地局１００Ａとの間で無線バックホールリンクを、スモールセル１０Ｃ内の１つ以上の端末装置（例えば、端末装置２００Ｃ）との間でアクセスリンクをそれぞれ確立する。ダイナミックＡＰ１００Ｃは、例えば、基地局又は無線アクセスポイントとして動作可能なハードウェア又はソフトウェアが搭載された端末装置であってよい。この場合のスモールセル１０Ｃは、動的に形成される局所的なネットワーク（Localized  Network／Virtual  Cell）である。
【００３７】
セル１０Ａは、例えば、ＬＴＥ、ＬＴＥ−Ａ（LTE-Advanced）、ＧＳＭ（登録商標）、ＵＭＴＳ、Ｗ−ＣＤＭＡ、ＣＤＭＡ２００、ＷｉＭＡＸ、ＷｉＭＡＸ２又はＩＥＥＥ８０２．１６などの任意の無線通信方式に従って運用されてよい。
【００３８】
なお、スモールセルは、マクロセルと重複して又は重複せずに配置される、マクロセルよりも小さい様々な種類のセル（例えば、フェムトセル、ナノセル、ピコセル及びマイクロセルなど）を含み得る概念である。ある例では、スモールセルは、専用の基地局によって運用される。別の例では、スモールセルは、マスタデバイスとなる端末がスモールセル基地局として一時的に動作することにより運用される。いわゆるリレーノードもまた、スモールセル基地局の一形態であると見なすことができる。リレーノードの親局として機能する無線通信装置は、ドナー基地局とも称される。ドナー基地局は、ＬＴＥにおけるＤｅＮＢを意味してもよく、より一般的にリレーノードの親局を意味してもよい。
【００３９】
（２）端末装置２００
端末装置２００は、セルラーシステム（又は移動体通信システム）において通信可能である。端末装置２００は、セルラーシステムの無線通信装置（例えば、基地局１００Ａ、マスタデバイス１００Ｂ又は１００Ｃ）との無線通信を行う。例えば、端末装置２００Ａは、基地局１００Ａからのダウンリンク信号を受信し、基地局１００Ａへのアップリンク信号を送信する。
【００４０】
（３）補足
以上、システム１の概略的な構成を示したが、本技術は図３に示した例に限定されない。例えば、システム１の構成として、マスタデバイスを含まない構成、ＳＣＥ（Small  Cell  Enhancement）、ＨｅｔＮｅｔ（Heterogeneous  Network）、ＭＴＣ（Machine  Type  Communication）ネットワーク等が採用され得る。
【００４１】
＜２．２．基地局の構成例＞
続いて、図４を参照して、本開示の一実施形態に係る基地局１００の構成を説明する。図４は、本開示の一実施形態に係る基地局１００の構成の一例を示すブロック図である。図４を参照すると、基地局１００は、アンテナ部１１０と、無線通信部１２０と、ネットワーク通信部１３０と、記憶部１４０と、処理部１５０とを含む。
【００４２】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００４３】
（２）無線通信部１２０
無線通信部１２０は、信号を送受信する。例えば、無線通信部１２０は、端末装置へのダウンリンク信号を送信し、端末装置からのアップリンク信号を受信する。
【００４４】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００４５】
（４）記憶部１４０
記憶部１４０は、基地局１００の動作のためのプログラム及び様々なデータを一時的に又は恒久的に記憶する。
【００４６】
（５）処理部１５０
処理部１５０は、基地局１００の様々な機能を提供する。処理部１５０は、通信処理部１５１と、通知部１５３とを含む。なお、処理部１５０は、これらの構成要素以外の他の構成要素をさらに含み得る。即ち、処理部１５０は、これらの構成要素の動作以外の動作も行い得る。
【００４７】
通信処理部１５１及び通知部１５３の動作は、後に詳細に説明する。
【００４８】
＜２．３．端末装置の構成例＞
次に、図５を参照して、本開示の実施形態に係る端末装置２００の構成の一例を説明する。図５は、本開示の実施形態に係る端末装置２００の構成の一例を示すブロック図である。図５に示すように、端末装置２００は、アンテナ部２１０と、無線通信部２２０と、記憶部２３０と、処理部２４０とを含む。
【００４９】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００５０】
（２）無線通信部２２０
無線通信部２２０は、信号を送受信する。例えば、無線通信部２２０は、基地局からのダウンリンク信号を受信し、基地局へのアップリンク信号を送信する。
【００５１】
（３）記憶部２３０
記憶部２３０は、端末装置２００の動作のためのプログラム及び様々なデータを一時的に又は恒久的に記憶する。
【００５２】
（４）処理部２４０
処理部２４０は、端末装置２００の様々な機能を提供する。例えば、処理部２４０は、情報取得部２４１と、通信処理部２４３と、通知部２４５とを含む。なお、処理部２４０は、これらの構成要素以外の他の構成要素をさらに含み得る。即ち、処理部２４０は、これらの構成要素の動作以外の動作も行い得る。
【００５３】
情報取得部２４１、通信処理部２４３、及び通知部２４５の動作は、後に詳細に説明する。
【００５４】
＜＜３．技術的特徴＞＞
続いて、本開示の技術的特徴について説明する。
【００５５】
（１）各装置における処理
（ａ）送信装置における処理
まず、図６、図７、及び図８Ａを参照して、New  Waveform技術をサポートする送信装置における処理の一例について説明する。図６、図７、及び図８Ａは、New  Waveform技術をサポートする送信装置における処理の一例を説明するための説明図である。図６、図７、及び図８Ａに示すようにユーザごとのビットストリーム（例えば、トランスポートブロック）が処理される。このユーザごとのビットストリームに対して、いくつかの処理、例えば、図６に示すような、ＣＲＣ（Cyclic  Redundancy  Check）符号化、ＦＥＣ（Forward  Error  Correction）符号化、レートマッチング及びスクランブリング／インタリービング）が行われ、その後変調が行われる。そして、変調後のビットストリームに対して、図７に示すように、レイヤマッピング、電力割当て、プリコーディング、リソースエレメントマッピングが行われ、アンテナエレメントごとのビットストリームが出力される。
【００５６】
アンテナごとのビットストリームは、リソースエレメントを最小単位とした、周波数方向及び時間方向の少なくともいずれかのサイズ（換言すると、リソース数）に基づき決定されたユニットに分けられる。このとき、各ユニットは、リソースエレメントを１以上含むこととなる。そして、ユニットごとに、ガードバンドとして使用される周波数帯域幅をより制限するためのフィルタ処理が施される。なお、当該ユニットが、フィルタが適用される単位（以降では、「フィルタの適用単位」とも称する）に相当する。例えば、図８Ａ示す例では、リソースブロックを構成する各リソースエレメントを、０〜Ｂ−１のＢ個のユニットに分け、当該ユニットごとにフィルタの適用に係る処理が実行される。具体的には、アンテナごとのビットストリームは、ユニットごとにＩＦＦＴまたはＩＤＦＴ処理が施されたうえで、フィルタ処理が施される。
【００５７】
そして、フィルタ処理が施されたユニットごとのビットストリームは、互いに加算され、必要に応じてガードインターバルの付加されたうえで、ディジタルからアナログ及びＲＦ（Radio  Frequency）への変換などが行われて、各アンテナから送信される。
【００５８】
なお、上述した送信装置における各処理は、所定の制御部（例えば、図中のPHY  Configuration  Controller）による制御に基づき実行されてもよい。
【００５９】
また、上記では、アンテナごとのビットストリーム（即ち、送信信号）に対して、時間領域でフィルタを適用する例について説明したが、当該ビットストリームに対して、周波数領域でフィルタが適用されてもよい。例えば、図８Ｂは、New  Waveform技術をサポートする送信装置における処理の一例を説明するための説明図であり、アンテナごとのビットストリームに対して周波数領域でフィルタを適用する場合の一例を示している。この場合には、図８Ｂに示すように、アンテナごとのビットストリームに対して、ユニットごとにフィルタ処理を施したうえで、フィルタ処理後の当該ユニットに対してＩＦＦＴまたはＩＤＦＴ処理を施せばよい。なお、以降の処理については、図８Ａに示した、時間領域でフィルタを適用する場合と同様である。
【００６０】
（ｂ）受信装置における処理
次いで、図９を参照して、New  Waveform技術をサポートする受信装置における処理の一例について説明する。図９は、New  Waveform技術をサポートする受信装置における処理の一例について説明するための説明図である。
【００６１】
図９に示すように、各アンテナで受信された信号に対して、ＲＦ及びアナログからディジタルへの変換、ゼロパディング、ＤＦＴ（Discrete  Fourier  Transform）／ＦＦＴ（Fast  Fourier  Transform）、ダウンサンプリング、並びに、等化及び復号等の処理が施される。なお、New  Waveform技術をサポートする受信装置においては、等化及び復号時に、New  Waveform技術に基づくフィルタ処理の逆処理が施されることとなる。その結果として、各ユーザのビットストリーム（（例えば、トランスポートブロック）が得られる。なお、受信処理のより詳細な内容については、受信信号の説明とあわせて別途後述する。
【００６２】
また、上述した受信装置における各処理は、所定の制御部（例えば、図中のPHY  Configuration  Controller）による制御に基づき実行されてもよい。
【００６３】
（２）送信信号及び受信信号
次に、New  Waveform技術がサポートされる場合における送信信号及び受信信号について説明する。なお、本説明では、ＨｅｔＮｅｔ（Heterogeneous  Network）又はＳＣＥ（Small  Cell  Enhancement）などのマルチセルシステムを想定する。また、本説明においては、サブキャリアに相当するインデックスと、シンボル、サンプル、スロット、及びサブフレームに相当するインデックスとについては、特に断りがない限りは記載を省略する。
【００６４】
送信対象となる受信装置をｕとし、当該受信装置に信号を送信する送信装置における送信アンテナ数をＮｔとする。なお、各送信アンテナは、「送信アンテナポート」とも呼ばれる。ここで、受信装置ｕへの送信信号は、以下に（数式１）として示すように、ベクトル形式で表すことが可能である。
【００６５】
【数１】
2017130511.tif 000003
【００６６】
上述した（数式１）において、Ｎは、ＦＦＴサイズ長を示す。また、Ｎｆは、フィルタ長を示し、Ｂは、フィルタを適用するサブバンド数を示す。また、Ｎｔは、送信アンテナ数を示し、ＮＳＳは、空間送信ストリーム数を示している。また、ベクトルＳｕ，ｂは、受信装置ｕにおけるサブバンドｂの空間ストリーム信号である。ベクトルＳｕ，ｂの各要素は、基本的には、ＰＳＫ、ＱＡＭ等のディジタル変調シンボルに相当する。ここで、例えば、サブバンドｂ＝０が、第０〜ｋ−１までのサブキャリアの組であるとしたとき、以下に（数式２）として示す条件を満たすものとする。
【００６７】
【数２】
2017130511.tif 000004
【００６８】
Ｗｕ，ｂは、受信装置ｕのサブバンドｂに対するプリコーディング行列である。また、Ｐｕ，ｂは、受信装置ｕのサブバンドｂにおける電力割当て係数行列である。なお、行列Ｐｕ，ｂの各要素は、正の実数とすることが望ましい。また、行列Ｐｕ，ｂは、所謂対角行列（即ち、対角成分以外の他の成分が０の行列）でもよい。例えば、行列Ｐｕ，ｂは、以下に示す（数式３）のように表される。
【００６９】
【数３】
2017130511.tif 000005
【００７０】
なお、空間ストリームについて適応的な電力割当てが行われない場合には、行列Ｐｕ，ｂの代わりに、スカラ値Ｐｕ，ｂが用いられてもよい。
【００７１】
ベクトルＦは、サイズＮのＦＦＴ行列である。また、ベクトルΩｕ，ｂは、ガードインターバル（ＧＩ）区間の挿入に相当する。Ωｕ，ｂ中のＩＮは、サイズＮの単位行列であり、ＮＧＩは、ガードインターバルの区間長である。また、ベクトルＧｕ，ｂは、受信装置ｕのサブバンドｂに適用するフィルタの線形畳み込み行列である。
【００７２】
また、送信アンテナ＃ｎｔの送信信号を受信アンテナ＃ｎｒで受信した場合における、受信装置ｕにより受信された受信信号をｒｕ，ｎｔ，ｎｒとすると、受信信号ｒｕ，ｎｔ，ｎｒは、以下に示す（数式４）のように表される。
【００７３】
【数４】
2017130511.tif 000006
【００７４】
なお、上述した（数式４）において、Ｌｈは、伝送路パス数を示している。また、行列ｈｕ，ｎｔ，ｎｒは、送信アンテナｎｔと受信アンテナｎｒとの間のチャネル応答行列である。なお、行列ｈｕ，ｎｔ，ｎｒの各要素は、基本的には複素数である。また、ベクトルｎｕ，ｎｒは、受信装置ｕの受信アンテナｎｒの雑音を示している。なお、雑音ｎｕ，ｎｒは、例えば、熱雑音や、本開示の対象とするシステム以外の他のシステムからの干渉を含む。なお、雑音の平均電力は、σｎ，ｕ２で表される。
【００７５】
また、New  Waveform技術がサポートされる場合には、上述した受信信号ｒｕ，ｎｔ，ｎｒは、前述したフィルタＧｕ，ｂが適用された信号に相当する。そのため、受信信号ｒｕ，ｎｔ，ｎｒに対して、ＤＦＴ／ＦＦＴや、等化及び復号処理が施される過程において、前述したフィルタＧｕ，ｂを適用する処理の逆処理が施される。
【００７６】
具体的には、受信信号ｒｕ，ｎｔ，ｎｒは、前述したフィルタＧｕ，ｂの適用に伴い、当該フィルタＧｕ，ｂのフィルタ長分だけ信号長（換言すると、サンプルシンボル数）が増加している。そのため、受信装置ｕは、受信信号ｒｕ，ｎｔ，ｎｒに対するＤＦＴ／ＦＦＴの処理時（即ち、ＯＦＤＭ復号時）に、送信処理時におけるＩＦＦＴサイズに加えて、フィルタ長分のサイズと、チャネルのディレイ分のサイズとを考慮する必要がある。そこで、受信装置ｕは、例えば、受信信号ｒｕ，ｎｔ，ｎｒの末尾以降にゼロパディングを実施することで、受信信号ｒｕ，ｎｔ，ｎｒの信号長が２Ｎとなるように調整する。
【００７７】
次いで、受信装置ｕは、ゼロパディングが実施された受信信号ｒｕ，ｎｔ，ｎｒに対して、サイズ２ＮのＤＦＴ／ＦＦＴを適用することで周波数領域の信号に変換し、変換後の信号に対して１／２のダウンサンプリングを適用する。このような処理により、ゼロパディングが施されることで２Ｎに調整された受信信号の信号長は、１／２のダウンサンプリングによりＮに調整されることとなる。
【００７８】
そして、受信装置ｕは、ダウンサンプリングが施された受信信号に対して、周波数領域等化を実施することで、送信された空間ストリーム信号を復号することが可能となる。例えば、ＭＭＳＥ（Minimum  Mean  Square  Error）重みは、従来は、チャネル行列ｈｕ，ｎｔ，ｎｒ、プリコーディング行列Ｗｕ，ｂ、及び雑音電力σｎ，ｕ２を考慮して作成される。これに対して、本開示のようにNew  Waveform技術がサポートされる場合においては、送信信号処理において適用されたフィルタ行列Ｇｕ，ｂも考慮して、等化重みが作成されることとなる。
【００７９】
以上、New  Waveform技術がサポートされる場合における送信信号及び受信信号について説明した。
【００８０】
（３）フィルタ長及びガードインターバル区間長の設定例
続いて、フィルタ長及びガードインターバル区間長の設定の一例について説明する。そこで、本実施形態の特徴をよりわかりやすくするために、まず、ＬＴＥ／ＬＴＥ−Ａにおけるガードインターバルの設定例について、リソースブロックの構成とあわせて説明する。例えば、ＬＴＥ／ＬＴＥ−Ａにおいては、リソースブロックの構成として、図１０〜図１２に示すような３つケースを想定しており、各ケースにおいて、リソースエレメントのサイズやガードインターバル区間長が異なる。図１０〜図１２は、リソースブロックの構成の一例について説明するための説明図である。
【００８１】
例えば、図１０は、シンボル数を７とし、サブキャリア数を１２とした場合における、リソースブロックの構成の一例を示している。この場合には、１サブキャリアの帯域は１５ｋＨｚとなり、１シンボルのシンボル長は、Ｔｓ＝１／３０７２０［ｍｓ］とすると、２２０８Ｔｓ（＃０シンボル）または２１９２Ｔｓ（＃１〜６シンボル）となる。また、ガードインターバル区間長については、＃０シンボルの場合には１６０Ｔｓとなり、＃１〜６シンボルの場合には１４４Ｔｓとなる。
【００８２】
また、図１１は、シンボル数を６とし、サブキャリア数を１２とした場合における、リソースブロックの構成の一例を示している。この場合には、１サブキャリアの帯域は１５ｋＨｚとなり、１シンボルのシンボル長は２５６０Ｔｓとなる。また、ガードインターバル区間長は、５１２Ｔｓとなる。
【００８３】
また、図１２は、シンボル数を３とし、サブキャリア数を２４とした場合における、リソースブロックの構成の一例を示している。この場合には、１サブキャリアの帯域は７．５ｋＨｚとなり、１シンボルのシンボル長は５１２０Ｔｓとなる。また、ガードインターバル区間長は、１０２４Ｔｓとなる。
【００８４】
本開示においては、フィルタを適用する場合のリソースブロックの構成（即ち、リソースエレメントのサイズ）が、フィルタを適用しない場合と同様の構成（例えば、図１０〜図１２に示す例）となるように、フィルタ長やガードインターバル区間長が決定される。ここで、図１３及び図１４を参照して、フィルタ長やガードインターバル区間長の設定例について、具体的な例を挙げて説明する。図１３は、フィルタが適用されていない場合におけるサブキャリアの構成の一例を示している。また、図１４は、フィルタを適用する場合のサブキャリアの構成の一例を示している。なお、図１４は、フィルタ適用後の送信信号に対してガードインターバルが付加されない場合の一例を示している。また、図１３及び図１４は、いずれも、図１０に示すリソースブロックの構成例におけるサブキャリアの構成の一例を示している。
【００８５】
具体的な一例として、図１０に示すリソースブロックの構成において、サブキャリアインデックスｋ＝０、シンボルインデックスｌ＝０のリソースエレメントに着目する。この場合には、図１３に示すように、フィルタが適用されない場合におけるガードインターバル区間長は１６０Ｔｓとなる。また、フィルタは、１６０Ｔｓに相当するフィルタ長で適用される。例えば、前述した（数式１）において、ＦＦＴサイズＮ＝１２８とした場合には、データ部（図１０及び図１３におけるMain  Body）の長さは２０４８Ｔｓとなり１２８サンプル相当する。そのため、ガードインターバル区間長は、１６０Ｔｓである場合には、１０サンプルに相当することとなる。
【００８６】
フィルタ適用後の１送信シンボル中のサンプル数は、（数式１）よりＮ＋Ｎｆ＋ＮＧＩ−１である。そのため、ガードインターバルを挿入しない場合には、Ｎ＝１２８、ＮＧＩ＝０を代入することで、Ｎ＋Ｎｆ＋ＮＧＩ−１＝Ｎｆ＋１２７＝１２８＋１０となり、フィルタ長Ｎｆ＝１１となる。なお、本説明では、図１０に示すリソースブロックの構成に着目して説明したが、他のリソースブロックの構成（例えば、図１１、図１２に示す例）についても同様の計算により、フィルタ長を算出することが可能である。
【００８７】
また、図１０に示すリソースブロックの構成においては、シンボルインデックスｌに応じてガードインターバル区間長が異なる。そのため、例えば、ｋ＝０、ｌ＝１の場合には、ガードインターバル区間長が１４４Ｔｓであることから、フィルタ長Ｎｆ＝１０となる。即ち、図１０に示す例の場合には、時間によってフィルタ長が変化することとなる。
【００８８】
ここで、図１３と図１４とを比較するとわかるように、フィルタが適用されていない場合（図１３）と、フィルタを適用した場合（図１４）との間で、各リソースエレメントのシンボル長が等しくなる。即ち、前述したようにフィルタ長が決定されることで、フィルタを適用した場合（図１４）のリソースブロックの構成が、フィルタが適用されていない場合（図１３）と同様の構成となるため、後方互換性を保持することが可能となる。
【００８９】
また、図１４に示す例では、フィルタを適用する場合にはガードインターバルを付加していないが、フィルタを適用する場合においても、ガードインターバルを付加してもよい。そこで、以下に、図１５及び図１６を参照して、送信信号に対してフィルタを適用し、かつ、フィルタ適用後の送信信号に対してガードインターバルを付加する場合の一例について説明する。なお、図１５及び図１６は、いずれも、図１０に示すリソースブロックの構成例におけるサブキャリアの構成の一例を示している。
【００９０】
例えば、図１４に示す例では、＃０シンボルと＃１〜６シンボルとでは、フィルタ長が異なる。一方で、送受信環境やユースケースによっては、全てのシンボルに対して同じフィルタ長のフィルタを適用した方が望ましい場合も想定され得る。このような場合には、例えば、全てのシンボル間でフィルタ長に共通の値を設定し、フィルタ適用後に不足するサンプル分をガードインターバルにより補ってもよい。
【００９１】
具体的な一例として、図１５は、フィルタを適用し、かつ、ガードインターバルを付加する場合のサブキャリアの構成の一例を示している。より具体的には、図１５に示す例では、＃０〜６シンボルそれぞれに対して適用するフィルタのフィルタ長を、Ｎｆ＝７としている。この場合には、例えば、＃０シンボルにおけるガードインターバル区間長を４サンプル（６４Ｔｓ）とし、＃１〜６シンボルについては、ガードインターバル区間長を３サンプル（４８Ｔｓ）とすればよい。
【００９２】
また、図１６は、フィルタを適用し、かつ、ガードインターバルを付加する場合のサブキャリアの構成の他の一例を示している。図１６に示す例では、全てのシンボル間でフィルタ長として共通の値を設定し、フィルタ適用後に、シンボル長が不足するシンボルに対してのみガードインターバルを付加している。より具体的には、図１６に示す例では、＃０〜６シンボルそれぞれに対して適用するフィルタのフィルタ長を、Ｎｆ＝１０としている。この場合には、＃０シンボルのみが、フィルタ適用後のシンボル長が１サンプル（１６Ｔｓ）分不足することとなる。そのため、図１６に示す例では、＃０シンボルに対してのみ、フィルタ適用後の送信信号に対して１サンプル（１６Ｔｓ）分のガードインターバルが付加されており、＃１〜６シンボルについては、フィルタのみが適用されている。
【００９３】
上述したような処理に基づき、例えば、システムの特性や、端末装置の受信環境、遅延波の程度等のような各種条件に応じて、フィルタの適用設定（例えば、フィルタ長）やガードインターバル区間長を適応的に変更してもよい。これにより、例えば、状況に応じてシステム全体のスループットを向上させることも可能となる。
【００９４】
以上、図１０〜図１６を参照して、フィルタ長及びガードインターバル区間長の設定の一例について説明する。
【００９５】
（４）フィルタの適用設定やガードインターバル区間長の決定方法
続いて、フィルタの適用設定（例えば、フィルタ長）やガードインターバル区間長を決定する方法の一例について説明する。フィルタの適用設定やガードインターバル区間長については、あらかじめ決定された設定が固定的に使用されるケース（即ち、固定のケース）と、状況に応じて変更可能なケース（即ち、可変のケース）が挙げられる。また、フィルタの適用設定やガードインターバル区間長が可変のケースとしては、当該フィルタの適用設定やガードインターバル区間長を準静的に決定するケースと、動的に決定するケースとが挙げられる。そこで、以下に、フィルタの適用設定やガードインターバル区間長を固定するケース、準静的に決定するケース、及び動的に決定するケースのそれぞれについて詳しく説明する。
【００９６】
（ａ）フィルタの適用設定及びガードインターバル区間長を固定するケース
まず、フィルタの適用設定及びガードインターバル区間長を固定するケースについて説明する。フィルタの適用設定及びガードインターバル区間長を固定するケースにおいては、フィルタの適用設定やガードインターバル区間長を仕様（例えば、通信規約等）として決定しておき、基地局及び端末装置は、送信信号に対して当該仕様に基づきフィルタを適用する。なお、フィルタの適用設定や、フィルタを適用した場合のガードインターバルを付加するか否か、及び、ガードインターバル区間長については、例えば、図１０〜図１２を参照して説明したようなリソースブロックの構成（換言すると、周波数リソース及び時間リソースのうち少なくともいずれか）に応じて決定されていてもよい。
【００９７】
なお、フィルタの適用設定やガードインターバル区間長を示す情報については、基地局及び端末装置のそれぞれが読み出し可能な記憶領域（例えば、記憶部１４０や記憶部２３０）に記憶させておくとよい。また、他の一例として、基地局が、フィルタの適用設定やガードインターバル区間長を示す情報を所定の記憶領域から読み出し、当該読み出し結果に応じて、当該フィルタの適用設定やガードインターバル区間長に関する情報を端末装置に通知してもよい。
【００９８】
（ｂ）フィルタの適用設定及びガードインターバル区間長を準静的に決定するケース
次いで、フィルタの適用設定及びガードインターバル区間長を準静的に決定するケースについて説明する。フィルタの適用設定及びガードインターバル区間長を準静的に決定するケースにおいては、基地局及び端末装置間において、フィルタの適用設定やガードインターバル区間長として取り得る設定値の候補をあらかじめ規定しておく。そして、例えば基地局が、所定の条件に基づきフィルタの適用設定やガードインターバル区間長をあらかじめ規定された候補の中から決定し、決定した当該フィルタの適用設定やガードインターバル区間長に関する情報を端末装置に通知する。例えば、以下に示す表１は、フィルタの適用設定及びガードインターバル区間長の設定値の候補の一例を示している。
【００９９】
【表１】
2017130511.tif 000007
【０１００】
なお、上記した表１において、「Filter  Index」は、フィルタの適用設定及びガードインターバル区間長の設定値の各候補を識別するための識別情報である。また、「Filter  Type」は、適用されるフィルタの種別を示している。適用されるフィルタの種別としては、例えば、前述したように、ドルフチェビシェフフィルタやルートレイズドコサインフィルタが挙げられる。また、「Filter  Attenuator」は、フィルタの適用に伴う信号の出力レベル（換言すると、信号の減衰量）を調整するためのパラメータを示している。
【０１０１】
表１に示すような、フィルタの適用設定及びガードインターバル区間長の設定値の候補を示す情報については、基地局及び端末装置のそれぞれが読み出し可能な記憶領域（例えば、記憶部１４０や記憶部２３０）に記憶させておくとよい。また、他の一例として、フィルタの適用設定及びガードインターバル区間長の設定値の候補を示す情報が、基地局から端末装置に対して通知されることで、端末装置が、当該フィルタの適用設定及びガードインターバル区間長の設定値の候補を認識してもよい。
【０１０２】
なお、基地局は、フィルタの適用設定及びガードインターバル区間長を決定した場合（切り替えた場合）には、決定した当該フィルタの適用設定及びガードインターバル区間長に関する情報を端末装置に通知する。なお、基地局から端末に通知される情報としては、例えば、フィルタの適用設定及びガードインターバル区間長の設定値自体を示す情報や、当該フィルタの適用設定及びガードインターバル区間長の設定値に関連付けられた識別情報（インデックス値）等が挙げられる。
【０１０３】
次いで、基地局から端末装置に対して、フィルタの適用設定及びガードインターバル区間長に関する情報を通知する方法に着目する。フィルタの適用設定及びガードインターバル区間長に関する情報を通知する方法としては、例えば、以下に示す例が挙げられる。
・RRC  Signaling（RRC  Message）の一部として通知する
・System  Informationの一部として通知する
・ＤＣＩ（Downlink  Control  Information）の一部として通知する
【０１０４】
なお、上述した例では、フィルタの適用設定及びガードインターバル区間長を基地局が決定する場合に着目して説明したが、フィルタの適用設定及びガードインターバル区間長を決定する主体は、必ずしも基地局に限定されない。具体的な一例として、端末装置が、フィルタの適用設定及びガードインターバル区間長を決定してもよい。なお、この場合には、端末装置は、例えば、決定したフィルタの適用設定及びガードインターバル区間長に関する情報を、RRC  Signalingや、ＵＣＩ（Uplink  Control  Information）の一部として基地局に通知すればよい。
【０１０５】
次いで、基地局が、フィルタの適用設定及びガードインターバル区間長を切り替えるタイミングに着目する。例えば、基地局は、送信するデータごとにフィルタの適用設定及びガードインターバル区間長の切り替えを毎回行ってもよいが、切り替え可能なタイミングを判断し、当該判断結果に基づきフィルタの適用設定及びガードインターバル区間長を切り替えてもよい。
【０１０６】
基地局が、フィルタの適用設定及びガードインターバル区間長を切り替えるタイミングとしては、以下に示す例が挙げられる。
・端末装置からの通信品質に関するフィードバックに基づく切り替え
・所定のタイミングごとの切り替え（例えば、１フレームごと等）
・再送のタイミングでの切り替え
・端末装置からの通信品質に関する要求に基づく切り替え
【０１０７】
より具体的な一例として、基地局は、端末装置から通信品質のフィードバックに基づき、当該端末装置との間の通信の品質の劣化を検知することが可能である。そのため、例えば、基地局は、端末装置との間の通信の品質が劣化している場合には、ガードインターバル区間長がより長い設定に切り替えることにより、当該通信の特性の改善を図ってもよい。同様に、端末装置に対してデータを再送するような状況下においても、通信品質が劣化している可能性が考えられる。このように、通信品質が劣化している場合においては、基地局は、ガードインターバル区間長がより長い設定に切り替えることにより、当該通信の特性の改善を図ればよい。
【０１０８】
また、端末装置の利用用途によっては、当該端末装置が要求する通信品質が異なる場合が想定され得る。具体的な一例として、高品質の通信が要求される場合においては、基地局は、フィルタ長またはガードインターバル区間長が比較的長い設定に切り替えることにより、伝搬遅延への対策を強化してもよい。一方で、低レイテンシの通信が求められる場合においては、基地局は、例えば、フィルタ長またはガードインターバル区間長が比較的短い設定に切り替えることにより、フィルタ及びガードインターバル適用後のシンボル長をより短くし、レイテンシをより少なくしてもよい。なお、この場合には、基地局は、例えば、端末装置からの通信品質に関する要求（例えば、ＱｏＳ：Quality  of  Service）に応じて、フィルタの適用設定及びガードインターバル区間長を決定してもよい。
【０１０９】
また、基地局は、フィルタの適用設定及びガードインターバル区間長を切り替えるタイミングの判断結果に基づき、端末装置に対して、フィルタの適用設定及びガードインターバル区間長の切り替えが可能なタイミングであることを通知してもよい。端末装置は、基地局から当該通知を受けた場合には、フィルタの適用設定及びガードインターバル区間長の切り替えが必要か否かを判断する。そして、端末装置は、フィルタの適用設定及びガードインターバル区間長の切り替えが必要と判断した場合には、基地局に対して、フィルタの適用設定及びガードインターバル区間長の切り替えに関する要求を通知する。この場合には、基地局は、端末装置からの要求に応じて、フィルタの適用設定及びガードインターバル区間長を切り替えてもよい。
【０１１０】
なお、端末装置が、基地局に対してフィルタの適用設定及びガードインターバル区間長の切り替えを要求するタイミングとしては、以下に示す例が挙げられる。
・通信品質の測定結果が閾値以下となった場合に通知する
・復号誤りが発生した場合に通知する
【０１１１】
以上のような構成により、フィルタの適用設定及びガードインターバル区間長を状況に応じて切り替えることが可能となる。また、端末装置は、フィルタの適用設定及びガードインターバル区間長が切替えられた場合においても、切り替え後の当該フィルタの適用設定及びガードインターバル区間長を、基地局からの通知に基づき認識することが可能となる。
【０１１２】
（ｃ）フィルタの適用設定及びガードインターバル区間長を動的に決定するケース
次いで、フィルタの適用設定及びガードインターバル区間長を動的に決定するケースについて説明する。当該ケースにおいては、例えば、基地局が、所定の条件、即ち、フィルタの適用設定及びガードインターバル区間長を決定するための所定の判断基準に基づき、当該フィルタの適用設定及びガードインターバル区間長を決定する。この場合には、基地局は、決定したフィルタの適用設定及びガードインターバル区間長に関する情報を、端末装置に通知する。なお、基地局から端末装置に対して通知される情報としては、例えば、フィルタの適用設定及びガードインターバル区間長の設定値事態を示す情報や、当該フィルタの適用設定及びガードインターバル区間長が関連付けられたインデックス値等が挙げられる。以上のような構成により、端末装置は、フィルタの適用設定及びガードインターバル区間長が切り替えられた場合においても、当該通知に基づき切り替え後の設定を認識することが可能となる。
【０１１３】
なお、基地局から端末装置に対して、フィルタの適用設定及びガードインターバル区間長に関する情報を通知する方法については、前述したフィルタの適用設定及びガードインターバル区間長を準静的に決定するケースと同様に、以下に示す例が挙げられる。
・RRC  Signaling（RRC  Message）の一部として通知する
・System  Informationの一部として通知する
・ＤＣＩの一部として通知する
【０１１４】
また、端末装置が、フィルタの適用設定及びガードインターバル区間長を決定してもよい。この場合には、端末装置は、例えば、決定したフィルタの適用設定及びガードインターバル区間長に関する情報を、RRC  Signalingや、ＵＣＩ（Uplink  Control  Information）の一部として基地局に通知すればよい。
【０１１５】
また、基地局が、フィルタの適用設定及びガードインターバル区間長を切り替えるタイミングについても、前述したフィルタの適用設定及びガードインターバル区間長を準静的に決定するケースと同様に、以下に示す例が挙げられる。
・端末装置からの通信品質に関するフィードバックに基づく切り替え
・所定のタイミングごとの切り替え（例えば、１フレームごと等）
・再送のタイミングでの切り替え
・端末装置からの通信品質に関する要求に基づく切り替え
【０１１６】
また、基地局は、フィルタの適用設定及びガードインターバル区間長を切り替えるタイミングの判断結果に基づき、端末装置に対して、フィルタの適用設定及びガードインターバル区間長の切り替えが可能なタイミングであることを通知してもよい。この点においても、前述したフィルタの適用設定及びガードインターバル区間長を準静的に決定するケースと同様である。即ち、端末装置は、基地局から当該タイミングの通知を受けて、当該基地局に対して、フィルタの適用設定及びガードインターバル区間長の切り替えに関する要求を通知してもよい。この場合には、基地局は、端末装置からの要求に応じて、フィルタの適用設定及びガードインターバル区間長を切り替えてもよい。
【０１１７】
以上のような構成により、フィルタの適用設定及びガードインターバル区間長を状況に応じてより柔軟に切り替えることが可能となる。また、端末装置は、フィルタの適用設定及びガードインターバル区間が切替えられた場合においても、切り替え後の当該フィルタの適用設定及びガードインターバル区間長を、基地局からの通知に基づき認識することが可能となる。
【０１１８】
（５）処理の流れ
続いて、図１７及び図１８を参照して、本実施形態に係るシステムの処理の流れの一例について説明する。
【０１１９】
（ａ）フィルタの適用設定及びガードインターバル区間長の決定に係る処理
まず、図１７を参照して、フィルタの適用設定及びガードインターバル区間長の決定に係る一連の処理の流れの一例について説明する。図１７は、フィルタの適用設定及びガードインターバル区間長の決定に係る一連の処理の流れの一例について示したフローチャートである。なお、本説明では、基地局１００が、フィルタの適用設定及びガードインターバル区間長を決定するものとして説明する。
【０１２０】
まず、基地局１００（通信処理部１５１）は、送信信号に対して、ガードバンドとして使用される周波数帯域幅をより制限するためのフィルタを適用するか否かを判断する（Ｓ１０１）。フィルタを適用しないと判断した場合には（Ｓ１０１、ＮＯ）、基地局１００は、フィルタの適用設定及びガードインターバル区間長の決定に係る一連の処理を終了する。
【０１２１】
また、フィルタを適用すると判断した場合には（Ｓ１０１、ＹＥＳ）、基地局１００（通信処理部１５１）は、フィルタが適用されるリソースブロック（ＲＢ）の周波数方向及び時間方向のユニットサイズを確認する（Ｓ１０３）。
【０１２２】
次いで、基地局１００（通信処理部１５１）は、リソースブロック（ＲＢ）の周波数方向及び時間方向のユニットサイズの確認結果に基づき、フィルタが適用されない場合のガードインターバル区間長を確認する（Ｓ１０５）。
【０１２３】
そして、基地局１００（通信処理部１５１）は、ガードインターバルを付加する場合には（Ｓ１０７、ＹＥＳ）、フィルタ長と、フィルタ適用後に付加されるガードインターバルの区間長とを、フィルタが適用されない場合のガードインターバル区間長と略等しくなるように決定する（Ｓ１０９）。なお、このとき基地局１００は、前述した所定の条件（判断基準）に基づき、フィルタ長と、フィルタ適用後に付加されるガードインターバルの区間長と決定してもよい。
【０１２４】
また、基地局１００（通信処理部１５１）は、ガードインターバルを付加しない場合には（Ｓ１０７、ＮＯ）、フィルタ長を、フィルタが適用されない場合のガードインターバル区間長と略等しくなるように決定する（Ｓ１１１）。
【０１２５】
以上、図１７を参照して、フィルタの適用設定及びガードインターバル区間長の決定に係る一連の処理の流れの一例について説明した。
【０１２６】
（ｂ）フィルタの適用設定及びガードインターバル区間長の切り替えに係る処理
次いで、図１８を参照して、フィルタの適用設定及びガードインターバル区間長の切り替えに係る一連の処理の流れの一例について説明する。図１８は、フィルタの適用設定及びガードインターバル区間長の切り替えに係る一連の処理の流れの一例について示したフローチャートである。なお、本説明では、基地局１００が、フィルタの適用設定及びガードインターバル区間長の切り替えを行うものとして説明する。即ち、図中において、参照符号Ｓ２０１〜Ｓ２０５、及びＳ２１３で示された処理の主体は基地局１００であり、参照符号Ｓ２０７〜Ｓ２１１で示された処理の主体は端末装置２００となる。
【０１２７】
まず、基地局１００（通信処理部１５１）は、フィルタの適用設定（例えば、フィルタ長）及びガードインターバル区間長を切り替え可能なタイミングか否かを確認する（Ｓ２０１）。フィルタの適用設定及びガードインターバル区間長を切り替え可能なタイミングではない場合には（Ｓ２０１、ＮＯ）、当該切り替えは行われず、一連の処理が終了となる。
【０１２８】
また、フィルタの適用設定を切り替え可能なタイミングの場合には（Ｓ２０１、ＹＥＳ）、基地局１００（通信処理部１５１）は、当該切り替えが必要なタイミングか否かを確認する（Ｓ２０３）。フィルタの適用設定及びガードインターバル区間長の切り替えが必要なタイミングの場合には（Ｓ２０３、ＹＥＳ）、基地局１００（通信処理部１５１）は、所定の条件に基づきフィルタの適用設定及びガードインターバル区間長を決定する。そして、基地局１００（通知部１５３）は、決定したフィルタの適用設定及びガードインターバル区間長に関する情報を端末装置２００に通知する（Ｓ２１３）。
【０１２９】
一方で、フィルタの適用設定及びガードインターバル区間長の切り替えが必要なタイミングではないと判断した場合には（Ｓ２０３、ＮＯ）、基地局１００（通知部１５３）は、当該切り替えが可能であることを端末装置２００に通知する（Ｓ２０５）。この通知を受けて、端末装置２００（通信処理部２４３）は、所定の条件に基づき、基地局１００に対してフィルタの適用設定及びガードインターバル区間長の切り替えに関する要求を行うか否かを判断する（Ｓ２０７）。なお、端末装置２００が、フィルタの適用設定及びガードインターバル区間長の切り替えに関する要求を行わないと判断した場合には（Ｓ２０９、ＮＯ）、当該切り替えは行われず、一連の処理が終了となる。
【０１３０】
また、フィルタの適用設定及びガードインターバル区間長の切り替えに関する要求を行うと判断した場合には（Ｓ２０９、ＹＥＳ）、端末装置２００（通知部２４５）は、基地局１００に対して、当該切り替えに関する要求を通知する。この通知を受けて、基地局１００（通信処理部１５１）は、所定の条件に基づきフィルタの適用設定及びガードインターバル区間長を決定する。そして、基地局１００（通知部１５３）は、決定したフィルタの適用設定及びガードインターバル区間長に関する情報を端末装置２００に通知する（Ｓ２１３）。
【０１３１】
また、端末装置２００（情報取得部２４１）は、基地局１００から、フィルタの適用設定及びガードインターバル区間長に関する情報の通知を受ける。これにより、端末装置２００（通信処理部２４３）は、基地局１００から送信される信号に対して適用されたフィルタの設定や、フィルタ適用後の信号に付加されたガードインターバルの区間長を認識することが可能となるため、当該基地局１００から送信された信号を正しく復号することが可能となる。また、端末装置２００（情報取得部２４１）は、基地局１００に送信する信号に対して、当該基地局１００から通知された情報に応じて、送信信号に対するフィルタの適用や、フィルタ適用後の当該送信信号に対するガードインターバルの付加を行ってもよい。これにより、基地局１００は、端末装置２００から送信された信号を正しく復号することが可能となる。
【０１３２】
以上、図１８を参照して、フィルタの適用設定及びガードインターバル区間長の切り替えに係る一連の処理の流れの一例について説明した。
【０１３３】
＜＜４．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１３４】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１３５】
＜４．１．基地局に関する応用例＞
（第１の応用例）
図１９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１３６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１９に示したように複数のアンテナ８１０を有し、複数のアンテナ８１０は、例えばｅＮＢ８００が使用する複数の周波数帯域にそれぞれ対応してもよい。なお、図１９にはｅＮＢ８００が複数のアンテナ８１０を有する例を示したが、ｅＮＢ８００は単一のアンテナ８１０を有してもよい。
【０１３７】
基地局装置８２０は、コントローラ８２１、メモリ８２２、ネットワークインタフェース８２３及び無線通信インタフェース８２５を備える。
【０１３８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１３９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１４０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１４１】
無線通信インタフェース８２５は、図１９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１９に示したように複数のＲＦ回路８２７を含み、複数のＲＦ回路８２７は、例えば複数のアンテナ素子にそれぞれ対応してもよい。なお、図１９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１４２】
図１９に示したｅＮＢ８００において、図４を参照して説明した処理部１５０に含まれる１つ以上の構成要素（送信処理部１５１及び／又は通知部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１４３】
また、図１９に示したｅＮＢ８００において、図４を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１４４】
（第２の応用例）
図２０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１４５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２０に示したように複数のアンテナ８４０を有し、複数のアンテナ８４０は、例えばｅＮＢ８３０が使用する複数の周波数帯域にそれぞれ対応してもよい。なお、図２０にはｅＮＢ８３０が複数のアンテナ８４０を有する例を示したが、ｅＮＢ８３０は単一のアンテナ８４０を有してもよい。
【０１４６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１９を参照して説明したコントローラ８２１、メモリ８２２及びネットワークインタフェース８２３と同様のものである。
【０１４７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１９を参照して説明したＢＢプロセッサ８２６と同様のものである。無線通信インタフェース８５５は、図１９に示したように複数のＢＢプロセッサ８５６を含み、複数のＢＢプロセッサ８５６は、例えばｅＮＢ８３０が使用する複数の周波数帯域にそれぞれ対応してもよい。なお、図２０には無線通信インタフェース８５５が複数のＢＢプロセッサ８５６を含む例を示したが、無線通信インタフェース８５５は単一のＢＢプロセッサ８５６を含んでもよい。
【０１４８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１４９】
また、ＲＲＨ８６０は、接続インタフェース８６１及び無線通信インタフェース８６３を備える。
【０１５０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１５１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２０に示したように複数のＲＦ回路８６４を含み、複数のＲＦ回路８６４は、例えば複数のアンテナ素子にそれぞれ対応してもよい。なお、図２０には無線通信インタフェース８６３が複数のＲＦ回路８６４を含む例を示したが、無線通信インタフェース８６３は単一のＲＦ回路８６４を含んでもよい。
【０１５２】
図２０に示したｅＮＢ８３０において、図４を参照して説明した処理部１５０に含まれる１つ以上の構成要素（送信処理部１５１及び／又は通知部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１５３】
また、図１０に示したｅＮＢ８３０において、例えば、図４を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１５４】
＜４．２．端末装置に関する応用例＞
（第１の応用例）
図２１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１５５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１５６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１５７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２１に示したように複数のＢＢプロセッサ９１３及び複数のＲＦ回路９１４を含んでもよい。なお、図２１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１５８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１５９】
アンテナスイッチ９１５の各々は、無線通信インタフェース９１２に含まれる複数の回路（例えば、異なる無線通信方式のための回路）の間でアンテナ９１６の接続先を切り替える。
【０１６０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２１に示したように複数のアンテナ９１６を有してもよい。なお、図２１にはスマートフォン９００が複数のアンテナ９１６を有する例を示したが、スマートフォン９００は単一のアンテナ９１６を有してもよい。
【０１６１】
さらに、スマートフォン９００は、無線通信方式ごとにアンテナ９１６を備えてもよい。その場合に、アンテナスイッチ９１５は、スマートフォン９００の構成から省略されてもよい。
【０１６２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２１に示したスマートフォン９００の各ブロックへ電力を供給する。補助コントローラ９１９は、例えば、スリープモードにおいて、スマートフォン９００の必要最低限の機能を動作させる。
【０１６３】
図２１に示したスマートフォン９００において、図５を参照して説明した処理部２４０に含まれる１つ以上の構成要素（情報取得部２４１、通信処理部２４３、及び／又は通知部２４５）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６４】
また、図２１に示したスマートフォン９００において、例えば、図５を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１６５】
（第２の応用例）
図２２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１６６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１６７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１６８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１６９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２２に示したように複数のＢＢプロセッサ９３４及び複数のＲＦ回路９３５を含んでもよい。なお、図２２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１７０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１７１】
アンテナスイッチ９３６の各々は、無線通信インタフェース９３３に含まれる複数の回路（例えば、異なる無線通信方式のための回路）の間でアンテナ９３７の接続先を切り替える。
【０１７２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２２に示したように複数のアンテナ９３７を有してもよい。なお、図２２にはカーナビゲーション装置９２０が複数のアンテナ９３７を有する例を示したが、カーナビゲーション装置９２０は単一のアンテナ９３７を有してもよい。
【０１７３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１７４】
バッテリー９３８は、図中に破線で部分的に示した給電ラインを介して、図２２に示したカーナビゲーション装置９２０の各ブロックへ電力を供給する。また、バッテリー９３８は、車両側から給電される電力を蓄積する。
【０１７５】
図２２に示したカーナビゲーション装置９２０において、図５を参照して説明した処理部２４０に含まれる１つ以上の構成要素（情報取得部２４１、通信処理部２４３、及び／又は通知部２４５）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１７６】
また、図２２に示したカーナビゲーション装置９２０において、例えば、図５を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１７７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部２４１、通信処理部２４３、及び／又は通知部２４５を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０１７８】
＜＜５．むすび＞＞
以上、図１〜図２２を参照して、本開示の一実施形態について詳細に説明した。上記に説明したように、本実施形態に係る基地局１００は、無線通信に利用する周波数帯域のうち、ガードバンドの幅を制限するためのフィルタのフィルタ長に関する制御情報を端末装置２００に通知する。このとき、当該フィルタ長は、周波数方向及び時間方向の少なくともいずれかのサイズ（換言すると、リソース数）に基づき決定される。換言すると、当該フィルタ長は、当該フィルタが適用されない場合におけるガードインターバル区間長に応じて決定される。
【０１７９】
また、基地局１００及び端末装置２００のそれぞれが送信装置として動作する場合には、当該送信装置は、ガードバンドの幅を制限するためのフィルタを、上記フィルタ長に関する制御情報に基づき、送信データ（即ち、送信信号）に対して適用する。そして、当該送信装置は、フィルタ適用後の送信データを、送信先となる外部装置に送信する。
【０１８０】
以上のような構成により、本実施形態に係るシステムに依れば、ガードバンドの幅を制限するためのフィルタの適用設定や、フィルタ適用後のガードインターバル区間長を、送受信環境やユースケースに応じて、適応的に選択または決定することが可能となる。これにより、送信データに対してより好適な態様で当該フィルタを適用することが可能となり、ひいては、システム全体のスループットの向上も見込まれる。
【０１８１】
また、上記構成により、フィルタ適用後の送信データのシンボル長、または、フィルタが適用され、かつガードインターバルが付加された送信データのシンボル長が、フィルタが適用されない場合において、ガードインターバルが付加された送信データのシンボル長と略等しくなる。即ち、本実施形態に係るシステムに依れば、フィルタを適用した場合のリソースブロックの構成が、フィルタを適用しない場合（換言すると、既存のリソースブロック）と同様の構成となるため、後方互換性を保持することが可能となる。
【０１８２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１８３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１８４】
なお、以下のような構成も本開示の技術的範囲に属する。
（１）
無線通信を行う通信部と、
前記無線通信に利用する周波数帯域のうち、ガードバンドの幅を制限するためのフィルタのフィルタ長に関する制御情報が、前記無線通信を介して外部装置に送信されるように制御する制御部と、
を備え、
前記フィルタ長は、前記無線通信のための周波数リソース及び時間リソースのうち少なくともいずれかに応じて決定される、装置。
（２）
前記フィルタ長は、前記フィルタが適用された送信データの時間方向のデータ長と、当該フィルタが適用されない場合において、ガードインターバルが付加された送信データの時間方向のデータ長とが略等しくなるように決定される、前記（１）に記載の装置。
（３）
前記フィルタ長は、前記フィルタが適用され、かつガードインターバルが付加された送信データの時間方向のデータ長と、当該フィルタが適用されない場合において、ガードインターバルが付加された送信データの時間方向のデータ長とが略等しくなるように決定される、前記（１）に記載の装置。
（４）
前記制御情報を記憶する記憶部を備え、
前記制御部は、前記記憶部に記憶された前記制御情報が、前記無線通信を介して外部装置に送信されるように制御する、前記（１）〜（３）のいずれか一項に記載の装置。
（５）
前記制御部は、所定の条件に基づき前記フィルタ長を切り替える、前記（１）〜（３）のいずれか一項に記載の装置。
（６）
前記制御部は、前記所定の条件に基づき、切り替え後の前記フィルタ長を、あらかじめ設定された複数の候補の中から決定する、前記（５）に記載の装置。
（７）
前記制御部は、前記外部装置から前記フィルタ長の切り替えに関する要求を受けた後に、前記フィルタ長を切り替える、前記（５）または（６）に記載の装置。
（８）
前記制御部は、所定のタイミング、及び再送のタイミングのうち少なくともいずれかのタイミングに応じて、前記フィルタ長を切り替える、前記（５）〜（７）のいずれか一項に記載の装置。
（９）
無線通信を行う通信部と、
前記無線通信に利用する周波数帯域のうち、ガードバンドの幅を制限するためのフィルタが適用されない場合におけるガードインターバルの長さに応じた、当該フィルタのフィルタ長に関する制御情報が、前記無線通信を介して外部装置に送信されるように制御する制御部と、
を備える、装置。
（１０）
前記フィルタ長は、前記フィルタが適用された送信データの時間方向のデータ長と、当該フィルタが適用されない場合において、ガードインターバルが付加された送信データの時間方向のデータ長とが略等しくなるように決定される、前記（９）に記載の装置。
（１１）
前記フィルタ長は、前記フィルタが適用され、かつガードインターバルが付加された送信データの時間方向のデータ長と、当該フィルタが適用されない場合において、ガードインターバルが付加された送信データの時間方向のデータ長とが略等しくなるように決定される、前記（９）に記載の装置。
（１２）
前記制御情報を記憶する記憶部を備え、
前記制御部は、前記記憶部に記憶された前記制御情報が、前記無線通信を介して外部装置に送信されるように制御する、前記（９）〜（１１）のいずれか一項に記載の装置。
（１３）
前記制御部は、所定の条件に基づき前記フィルタ長を切り替える、前記（９）〜（１１）のいずれか一項に記載の装置。
（１４）
前記制御部は、前記所定の条件に基づき、切り替え後の前記フィルタ長を、あらかじめ設定された複数の候補の中から決定する、前記（１３）に記載の装置。
（１５）
前記制御部は、前記外部装置から前記フィルタ長の切り替えに関する要求を受けた後に、前記フィルタ長を切り替える、前記（１３）または（１４）に記載の装置。
（１６）
前記制御部は、所定のタイミング、及び再送のタイミングのうち少なくともいずれかのタイミングに応じて、前記フィルタ長を切り替える、前記（１３）〜（１５）のいずれか一項に記載の装置。
（１７）
無線通信を行う通信部と、
前記無線通信に利用する周波数帯域のうち、ガードバンドの幅を制限するためのフィルタのフィルタ長に関する制御情報を、前記無線通信を介して外部装置から取得する取得部と、
を備え、
前記フィルタ長は、前記無線通信のための周波数リソース及び時間リソースのうち少なくともいずれかに応じて決定される、装置。
（１８）
所定の条件に応じて、前記フィルタ長の切り替えに関する要求が、前記無線通信を介して前記外部装置に送信されるように制御する制御部を備える、前記（１７）に記載の装置。
（１９）
前記制御部は、前記無線通信の品質に応じて、前記要求が、前記無線通信を介して前記外部装置に送信されるように制御する、前記（１８）に記載の装置。
（２０）
前記制御部は、前記無線通信を介して前記外部装置から受信したデータの復号結果に応じて、前記要求が、前記無線通信を介して前記外部装置に送信されるように制御する、前記（１８）に記載の装置。
（２１）
無線通信を行う通信部と、
前記無線通信に利用する周波数帯域のうち、ガードバンドの幅を制限するためのフィルタを、当該フィルタのフィルタ長に関する制御情報に基づき送信データに適用し、当該フィルタが適用された前記送信データが、前記無線通信を介して外部装置に送信されるように制御する制御部と、
を備え、
前記フィルタ長は、前記無線通信のための周波数リソース及び時間リソースのうち少なくともいずれかに応じて決定される、装置。
（２２）
無線通信を行うことと、
プロセッサが、前記無線通信に利用する周波数帯域のうち、ガードバンドの幅を制限するためのフィルタのフィルタ長に関する制御情報が、前記無線通信を介して外部装置に送信されるように制御することと、
を含み、
前記フィルタ長は、前記無線通信のための周波数リソース及び時間リソースのうち少なくともいずれかに応じて決定される、方法。
（２３）
無線通信を行うことと、
プロセッサが、前記無線通信に利用する周波数帯域のうち、ガードバンドの幅を制限するためのフィルタが適用されない場合におけるガードインターバルの長さに応じた、当該フィルタのフィルタ長に関する制御情報が、前記無線通信を介して外部装置に送信されるように制御することと、
を含む、方法。
（２４）
無線通信を行うことと、
プロセッサが、前記無線通信に利用する周波数帯域のうち、ガードバンドの幅を制限するためのフィルタのフィルタ長に関する制御情報を、前記無線通信を介して外部装置から取得することと、
を含み、
前記フィルタ長は、前記無線通信のための周波数リソース及び時間リソースのうち少なくともいずれかに応じて決定される、方法。
（２５）
無線通信を行うことと、
プロセッサが、前記無線通信に利用する周波数帯域のうち、ガードバンドの幅を制限するためのフィルタを、当該フィルタのフィルタ長に関する制御情報に基づき送信データに適用し、当該フィルタが適用された前記送信データが、前記無線通信を介して外部装置に送信されるように制御することと、
を含み、
前記フィルタ長は、前記無線通信のための周波数リソース及び時間リソースのうち少なくともいずれかに応じて決定される、方法。
【符号の説明】
【０１８５】
１      システム
１００  基地局
１１０  アンテナ部
１２０  無線通信部
１３０  ネットワーク通信部
１４０  記憶部
１５０  処理部
１５１  通信処理部
１５３  通知部
２００  端末装置
２１０  アンテナ部
２２０  無線通信部
２３０  記憶部
２４０  処理部
２４１  情報取得部
２４３  通信処理部
２４５  通知部
【図１】
2017130511.tif 000008
【図２】
2017130511.tif 000009
【図３】
2017130511.tif 000010
【図４】
2017130511.tif 000011
【図５】
2017130511.tif 000012
【図６】
2017130511.tif 000013
【図７】
2017130511.tif 000014
【図８Ａ】
2017130511.tif 000015
【図８Ｂ】
2017130511.tif 000016
【図９】
2017130511.tif 000017
【図１０】
2017130511.tif 000018
【図１１】
2017130511.tif 000019
【図１２】
2017130511.tif 000020
【図１３】
2017130511.tif 000021
【図１４】
2017130511.tif 000022
【図１５】
2017130511.tif 000023
【図１６】
2017130511.tif 000024
【図１７】
2017130511.tif 000025
【図１８】
2017130511.tif 000026
【図１９】
2017130511.tif 000027
【図２０】
2017130511.tif 000028
【図２１】
2017130511.tif 000029
【図２２】
2017130511.tif 000030
【国際調査報告】
2017130511.tif 000031
2017130511.tif 000032
2017130511.tif 000033